(57)【要約】【課題】携帯機器が所定角度以上の展開状態の場合には撮像手段の撮影方向もくしは照明手段の照明方向が任意の方向に設定可能であると共に、別操作をする事なく、撮像手段もしくは照明手段の汚れや破損を防止する事が可能な携帯機器を提供する。【解決手段】第１の本体１０と第２の本体２０が所定角度以上の展開状態の場合に撮像手段の撮影方向が任意の方向に設定可能であると共に、ヒンジ手段による折り畳み動作に連動して撮像手段の撮影方向を所定の向きに変更する撮影方向変更手段を有する。【選択図】  図２
2005173415.tif 000002
【特許請求の範囲】
【請求項１】
第１の本体と第２の本体とがその間に設けられたヒンジ手段によって折り畳み可能に軸支され、且つ、第１の本体、第２の本体、ヒンジ手段のいずれかに回転可能に軸支されている撮像手段を有する携帯機器において、
前記第１の本体と前記第２の本体が所定角度以上の展開状態の場合に前記撮像手段の撮影方向が任意の方向に設定可能であると共に、前記ヒンジ手段による折り畳み動作に連動して前記撮像手段の撮影方向を所定の向きに変更する撮影方向変更手段を有することを特徴とする携帯機器。
【請求項２】
第１の本体と第２の本体とがその間に設けられたヒンジ手段によって折り畳み可能に軸支され、且つ、第１の本体、第２の本体、ヒンジ手段のいずれかに回転可能に軸支されている照明手段を有する携帯機器において、
前記第１の本体と前記第２の本体が所定角度以上の展開状態の場合に前記照明手段の照明方向が任意の方向に設定可能であると共に、前記ヒンジ手段による折り畳み動作に連動して前記照明手段の照明方向を所定の向きに変更する照明方向変更手段を有することを特徴とする携帯機器。
【請求項３】
第１の本体と第２の本体とがその間に設けられたヒンジ手段によって折り畳み可能に軸支され、かつ、第１の本体、第２の本体、ヒンジ手段のいずれかに回転可能に軸支されている撮像手段を有する携帯機器において、
前記ヒンジ手段による折り畳み動作に連動して撮影方向を変更する撮影方向変更手段を有すると共に、前記撮影機器の折り畳み角度の変更に対して前記撮像手段で撮影する方向が非連続的に変更されることを特徴とする携帯機器。
【請求項４】
第１の本体と第２の本体とがその間に設けられたヒンジ手段によって折り畳み可能に軸支され、かつ、第１の本体、第２の本体、ヒンジ手段のいずれかに回転可能に軸支されている撮像手段を有する携帯機器において、
前記ヒンジ手段による折り畳み動作に連動して前記撮像手段での撮影方向を変更する撮影方向変更手段を有すると共に、前記撮像手段は前記ヒンジ手段に連結された前記第１の本体と前記第２の本体が所定角度以上の展開状態の場合には前記撮影方向変更手段による撮影方向と折り畳み動作の連動を解除することを特徴とする携帯機器。
【請求項５】
請求項４記載の携帯機器において、前記撮像手段は前記ヒンジ手段に連結された前記第１の本体と前記第２の本体が所定角度以上の展開状態の場合には前記撮像手段の撮影方向は任意に変更できることを特徴とする携帯機器。
【請求項６】
第１の本体と第２の本体とがその間に設けられたヒンジ手段によって折り畳み可能に軸支され、かつ、第１の本体、第２の本体、ヒンジ手段のいずれかに回転可能に軸支されている照明手段を有する携帯機器において、
前記ヒンジ手段による折り畳み動作に連動して前記照明手段の照明方向を変更する照明方向変更手段を有すると共に、前記携帯機器の折り畳み角度の変更に対して前記照明手段の照明方向が非連続的に変更されることを特徴とする携帯機器。
【請求項７】
第１の本体と第２の本体とがその間に設けられたヒンジ手段によって折り畳み可能に軸支され、かつ、第１の本体、第２の本体、ヒンジ手段のいずれかに回転可能に軸支されている照明手段を有する携帯機器において、
前記ヒンジ手段による折り畳み動作に連動して前記照明手段の照明方向を変更する照明方向変更手段を有すると共に、前記照明手段は前記ヒンジ手段に連結された前記第１の本体と前記第２の本体が所定角度以上の展開状態の場合には前記照明方向変更手段による照明方向と折り畳み動作の連動を解除することを特徴とする携帯機器。
【請求項８】
請求項７記載の携帯機器において、前記照明手段は前記ヒンジ手段に連結された前記第１の本体と前記第２の本体が所定角度以上の展開状態の場合には前記照明手段の照明方向は任意に変更できることを特徴とする携帯機器。
【発明の詳細な説明】
【技術分野】
【０００１】
本発明は、撮像手段を有する携帯機器もしくは照明手段を有する携帯機器に関する。
【背景技術】
【０００２】
近年、ノートブック型パソコンやＰＤＡ、携帯電話の普及に伴い、その筐体の小型化・薄型化及び液晶画面の大型化などで特色を出した製品が発売されているが、これとは別に、例えばノートブック型パソコンの場合は、単純なデータ整理やスケジュール管理といった従来からある機能に加えて、撮像手段を内蔵して被写体の撮影を行い、携帯電話等に接続して撮影した画像データを送信する事が出来る製品化されている。
【０００３】
一方の携帯電話も、通話だけでなく動画を再生したり、撮像手段を内蔵して撮影機能を盛り込んだりしたタイプも製品化され、このような流れを受けて様々な提案がされている。
【０００４】
まず撮像手段を内蔵した携帯機器に関して、例えば特許文献１に開示されているテレビ電話装置においては、マイク部を収納した第１の筐体とスピーカ部を収納した第２の筐体と、前記第１の筐体と前記第２の筐体とを連結する連結部においてカメラ部を保持すると共に、前記第１の筐体と前記第２の筐体とがなす角度をθとする時、前記カメラ部の光軸の向きを、θ／２の角度の方向に向ける角度維持手段を具備するテレビ電話装置が提案されている。
【０００５】
上記構成によれば、前記第１の筐体と前記第２の筐体とがなす角度θに応じてカメラ部を動作させる事ができるので、通話者の顔をとらえた状態を保つ事が容易になる。
【０００６】
また携帯電話に関して、例えば特許文献２においては、ディスプレイを有する第１の端末本体と、操作釦が設けられている第２の端末本体と、前記第１の端末本体と前記第２の端末本体とを折り畳み可能に連結するヒンジ部と、前記ヒンジ部に設けられた撮像部材とを具備するカメラ機能付き情報携帯端末が提案されている。
【０００７】
上記構成によれば、折り畳み式の情報携帯端末を開いた時にユーザーを捕らえ得る角度に撮像部材が来るように出来たと共に、折り畳まれた状態では撮像部材の撮影レンズが完全に覆われた状態になるので、撮影レンズの汚れや破損を防止する事が出来た。
【０００８】
また、特許文献３においては、カメラ付ディジタル携帯電話機に関する提案がなされている。
【０００９】
上記特許文献３では、中央のヒンジ部を境に表示部と本体とに分けられ、かつ、ヒンジ部を介して折り畳み可能に形成されたカメラ付ディジタル携帯電話機において、表示部の上端中央部にほぼ１８０度の角度範囲で回動自在なカメラ部が設けられており、またそのカメラ部の背面側中央にはスピーカが位置している事が開示されている。
【００１０】
これにより、カメラ部を表示部側に向けて折り畳めばカメラ部は本体と対向するので汚れや破損を防止する事が出来るし、通話時にはカメラ部を１８０度回動する事によってスピーカが正面側に位置するので、通常の音声通話状態に切換える事が出来る。
【００１１】
次にノートブック型パソコンに関して、例えば特許文献４においては、操作部と該操作部に対して開閉可能な表示部と該表示部に配設された撮影装置と閃光発光装置を具備した携帯型機器が提案されている。
【００１２】
上記構成によれば、撮影装置と同期して一体に移動する閃光発光装置を設けているので、撮影装置が任意の方向を向いていたとしても、別途の操作を行う事なく、閃光発光装置によるストロボ光を常に撮影方向に照射して撮影する事が可能になっている。
【特許文献１】特開平６−１４１３０６号公報
【特許文献２】特開２０００−２５３１２４号公報
【特許文献３】特開２００１−３５６９９６号公報
【特許文献４】特開２００１−３２５０４３号公報
【発明の開示】
【発明が解決しようとする課題】
【００１３】
しかしながら、上記従来技術に関しては以下のような問題点が有った。
【００１４】
まず、特許文献１においては、テレビ電話装置を開いた状態でカメラ部を任意の方向に回転させる事が出来ないので、例えばテレビ電話装置の背面側にある被写体を、テレビ電話装置に備わっている表示手段で確認しながら撮影する事が出来ない。
【００１５】
また、特許文献２においては、情報携帯端末を開いた状態で撮影レンズを第１の端末本体の背面方向に向けて撮影を行い、そのまま第１の端末本体を閉じた時には、撮影レンズが情報携帯端末の外部に露出したままの状態になってしまい、汚れや破損の恐れがある。
【００１６】
また、特許文献３においては、特許文献２同様、通話のためにカメラ部を表示部の背面側に向けたまま表示部を折り畳んだ時には、カメラ部の汚れや破損の恐れがある。
【００１７】
さらに、特許文献４においても、一体となった撮影装置と閃光発光装置を表示部の背面方向に向けたまま表示部を閉じた時には、撮影装置と閃光発光装置の汚れや破損の恐れがある。
【００１８】
つまり、上記従来例は表示部を閉じる際には撮影レンズやカメラ部等を表示部の表面側に戻すという別操作をしなければ問題点は解決しないので、操作上の煩わしさがある。
【００１９】
そこで、本発明はこのような問題に鑑みて成されたものであり、撮像手段を有する携帯機器もしくは照明手段を有する携帯機器において、携帯機器が所定角度以上の展開状態の場合には撮像手段の撮影方向もくしは照明手段の照明方向が任意の方向に設定可能であると共に、別操作をする事なく、撮像手段もしくは照明手段の汚れや破損を防止する事が可能な携帯機器を提供することを目的とする。
【課題を解決するための手段】
【００２０】
上記課題を解決するために、本発明は、第１の本体と第２の本体とがその間に設けられたヒンジ手段によって折り畳み可能に軸支され、且つ、第１の本体、第２の本体、ヒンジ手段のいずれかに回転可能に軸支されている撮像手段を有する携帯機器において、前記第１の本体と前記第２の本体が所定角度以上の展開状態の場合に前記撮像手段の撮影方向が任意の方向に設定可能であると共に、前記ヒンジ手段による折り畳み動作に連動して前記撮像手段の撮影方向を所定の向きに変更する撮影方向変更手段を有することを特徴とする。
【００２１】
上記構成により、携帯機器が所定角度以上の展開状態の場合には撮像手段の撮影方向が任意の方向に設定可能であると共に、別操作をする事なく携帯機器が折り畳まれた状態では撮像手段の汚れや破損を防止する事が可能になる。
【００２２】
また、照明手段を有する携帯機器であって、第１の本体と第２の本体とがその間に設けられたヒンジ手段によって折り畳み可能に軸支され、且つ、第１の本体、第２の本体、ヒンジ手段のいずれかに回転可能に軸支されている照明手段を有する携帯機器において、前記第１の本体と前記第２の本体が所定角度以上の展開状態の場合に前記照明手段の照明方向が任意の方向に設定可能であると共に、前記ヒンジ手段による折り畳み動作に連動して前記照明手段の照明方向を所定の向きに変更する照明方向変更手段を有することを特徴とする。
【００２３】
上記構成により、携帯機器が所定角度以上の展開状態の場合には照明手段の照明方向が任意の方向に設定可能であると共に、別操作をする事なく携帯機器が折り畳まれた状態では照明手段の汚れや破損を防止する事が可能になる。
【００２４】
また、撮像手段を有する携帯機器であって、第１の本体と第２の本体とがその間に設けられたヒンジ手段によって折り畳み可能に軸支され、かつ、第１の本体、第２の本体、ヒンジ手段のいずれかに回転可能に軸支されている撮像手段を有する携帯機器において、前記ヒンジ手段による折り畳み動作に連動して撮影方向を変更する撮影方向変更手段を有すると共に、前記撮影機器の折り畳み角度の変更に対して前記撮像手段で撮影する方向が非連続的に変更されることを特徴とする。
【００２５】
上記構成により、携帯機器が所定角度以上の展開状態の場合には撮像手段の撮影方向が任意の方向に設定可能であると共に、別操作をする事なく携帯機器が折り畳まれた状態では撮像手段の汚れや破損を防止する事が可能になる。
【００２６】
また、撮像手段を有する携帯機器であって、第１の本体と第２の本体とがその間に設けられたヒンジ手段によって折り畳み可能に軸支され、かつ、第１の本体、第２の本体、ヒンジ手段のいずれかに回転可能に軸支されている撮像手段を有する携帯機器において、前記ヒンジ手段による折り畳み動作に連動して前記撮像手段での撮影方向を変更する撮影方向変更手段を有すると共に、前記撮像手段は前記ヒンジ手段に連結された前記第１の本体と前記第２の本体が所定角度以上の展開状態の場合には前記撮影方向変更手段による撮影方向と折り畳み動作の連動を解除することを特徴とする。
【００２７】
上記構成により、携帯機器が所定角度以上の展開状態の場合には撮像手段の撮影方向が任意の方向に設定可能であると共に、別操作をする事なく携帯機器が折り畳まれた状態では撮像手段の汚れや破損を防止することが可能になる。
【００２８】
また、照明手段を有する携帯機器であって、第１の本体と第２の本体とがその間に設けられたヒンジ手段によって折り畳み可能に軸支され、かつ、第１の本体、第２の本体、ヒンジ手段のいずれかに回転可能に軸支されている照明手段を有する携帯機器において、前記ヒンジ手段による折り畳み動作に連動して前記照明手段の照明方向を変更する照明方向変更手段を有すると共に、前記携帯機器の折り畳み角度の変更に対して前記照明手段の照明方向が非連続的に変更されることを特徴とする。
【００２９】
上記構成により、携帯機器が所定角度以上の展開状態の場合には照明手段の照明方向が任意の方向に設定可能であると共に、別操作をする事なく携帯機器が折り畳まれた状態では照明手段の汚れや破損を防止する事が可能になる。
【００３０】
また、照明手段を有する携帯機器であって、第１の本体と第２の本体とがその間に設けられたヒンジ手段によって折り畳み可能に軸支され、かつ、第１の本体、第２の本体、ヒンジ手段のいずれかに回転可能に軸支されている照明手段を有する携帯機器において、前記ヒンジ手段による折り畳み動作に連動して前記照明手段の照明方向を変更する照明方向変更手段を有すると共に、前記照明手段は前記ヒンジ手段に連結された前記第１の本体と前記第２の本体が所定角度以上の展開状態の場合には前記照明方向変更手段による照明方向と折り畳み動作の連動を解除することを特徴とする。
【００３１】
上記構成により、携帯機器が所定角度以上の展開状態の場合には照明手段の照明方向が任意の方向に設定可能であると共に、別操作をする事なく携帯機器が折り畳まれた状態では照明手段の汚れや破損を防止する事が可能になる。
【発明の効果】
【００３２】
本発明よれば、携帯機器が所定角度以上の展開状態の場合には撮像手段の撮影方向や照明手段の照明方向が任意の方向に設定可能であると共に、携帯機器を折り畳んだ状態では常に撮像部材の撮影窓や照明窓の汚れや破損を防止する事が出来る。
【発明を実施するための最良の形態】
【００３３】
以下に本発明の実施例について説明する。
【実施例１】
【００３４】
以下に、本発明の第１の実施例の携帯機器を図１〜図７に基づいて説明する。
【００３５】
図１は携帯機器が閉じている時の全体斜視図及び部分透視拡大図、図２は携帯機器が開いている時の全体斜視図及び部分透視拡大図、図３及び図４は図１の閉じ状態から図２の開き状態までの機構を説明するための全体斜視図及び部分透視拡大図、図５は図２の開き状態で撮像部材を回転操作した時の機構を説明するための携帯機器の部分透視斜視図、図６は撮像部材を回転操作した時の携帯機器背面側の全体斜視図である。
【００３６】
図１及び図２の携帯機器１００において、第１の本体１０が第２の本体２０に対してヒンジ部２１に設けられた不図示の公知のヒンジ手段によって開閉可能に軸支されている。また，第１の本体１０の先端部１１には通信用のアンテナ１２が伸縮可能に配設されている。
【００３７】
さらに，第１の本体１０の、第２の本体２０との対向面側には、スピーカ１３と時計や電話番号、受信した各種情報等を表示する表示部１４とが設けられている。
【００３８】
一方、第２の本体２０の、第１の本体１０との対向面側には、マイク２２と電話番号のダイヤルや電源スイッチ等の各種操作用の操作部２３が設けられている。
【００３９】
また、ヒンジ部２１には、不図示の撮像レンズとＣＣＤ等の撮像手段及び撮影窓３１から構成されている撮像部と不図示の光源と拡散手段等の照明手段及び照明窓３２から構成されている照明部とが一体となった撮像部材３０が配設されており、ヒンジ部２１にて第２の本体２０に対して回転可能に軸支されている。
【００４０】
４０は、撮像部材３０を回転操作するための操作部であり、撮像部材３０と同軸に第２の本体２０に軸支されている。なお，撮像部材３０は、第２の本体２０に設けられた開口部２０ａを介して筐体外部へその一部が露出しているので、被写体の撮像及び被写体への照明が可能な構成となっている。
【００４１】
また、操作部４０は、第２の本体２０に設けられた開口部２０ｂを介して筐体外部へその一部が露出しているので、これにより撮像部材３０の回転操作が可能な構成となっている。
【００４２】
３３は撮像部材３０と一体的に回転する駆動ギアである。駆動ギア３３には、後述する切換えギア３７のギア部３７ｂと所定の減速比で噛み合うギア部３３ａが設けられている。
【００４３】
３４は撮像部材３０と一体的に回転する従動ギアである。従動ギア３４は後述の主動ギア３８と所定の減速比で噛み合うように配設されている。
【００４４】
３５はヒンジ部２１に設けられた不図示の公知のヒンジ手段と一体的に回転するヒンジギアであり、その両端にギア部３５ａ及びギア部３５ｂとが設けられている。また図２(ｃ)に示したように、ギア部３５ａとギア部３５ｂの間には、ギア部３５ａとギア部３５ｂとを連結する連結ギア部３５ｃが設けられている。この連結ギア部３５ｃを介して、後述の切換えギア３７のギア部３７ａは、ギア部３５ａからギア部３５ｂへとその噛み合い位置を変更する。
【００４５】
なお、駆動ギア３３とヒンジギア３５は、第２の本体２０に対して各々不図示のピン等によって軸支されている。
【００４６】
３６は第２の本体２０に対して不図示のピン等によって回転可能に軸支されていると共に、ヒンジギア３５で発生している駆動力の伝達位置（ヒンジギア３５と噛み合う位置）の変更を行う動力変更手段である。
【００４７】
動力変更手段３６の一端には後述するカム面を有する切換えギア３７が設けられており、他端には主動ギア３８が設けられている。この切換えギア３７はその両端にヒンジギア３５のギア部３５ａもしくは３５ｂとそれぞれ所定の減速比で噛み合うギア部３７ａと上述の駆動ギア３３のギア部３３ａと所定の減速比で噛み合うギア部３７ｂとを有している。
【００４８】
なお図１(ａ)及び図１(ｂ)に示すように、第１の本体１０が閉じている状態では、ヒンジギア３５のギア部３５ｂと切換えギア３７のギア部３７ｂが、また、駆動ギア３３のギア部３３ａと切換えギア３７のギア部３７ｂとが噛み合っているが、従動ギア３４と主動ギア３８とは噛み合っていない。
【００４９】
図３（ａ）は、図１の状態から第１の本体１０が略６０度回転した時の携帯機器１００の全体斜視図であり、また図３（ｂ）は同状態の時の部分透過斜視図である。
【００５０】
図１の状態から第１の本体１０の開き動作を開始すると、ヒンジ部２１の回動に伴ってヒンジギア３５も同一方向（図３(b)中、矢印Ａ方向）に回転する。すると、ヒンジギア３５のギア部３５ｂと切換えギア３７のギア部３７ａとが噛み合っているので、切換えギア３７はヒンジギア３５とは逆方向（図３(b)中、矢印Ｂ方向）にその減速比に応じた角度分だけ回転する。
【００５１】
また切換えギア３７のギア部３７ｂと駆動ギア３３のギア部３３ａとが噛み合っているので、切換えギア３７の回転により、駆動ギア３３は切換えギア３７とは逆方向（図３（ｂ）中、矢印Ｃ方向）にその減速比に応じた角度分だけ回転する。この駆動ギア３３の回転により、撮像部材３０も駆動ギア３３と一体的に回転する。  
【００５２】
よって、第２の本体２０に設けられた開口部２０ａから撮像部材３０の撮影窓３１及び照明窓３２の一部が筐体の外部に露出する事になる。
【００５３】
つまり、第１の本体１０の開き動作中の任意の回転角度まで、もしくは第１の本体１０の開き動作が完了するまで上述の動作が行われるので、第１の本体１０の開き動作に応じて撮像部材３０も回転される事となる。これにより、撮像部材３０の撮影窓３１及び照明窓３２は第２の本体２０に設けられた開口部２０ａから完全に出た状態（撮影窓３１や照明窓３２が開口部２０ａに掛かっていない状態）になるので、開口部２０ａによって撮像範囲や照明範囲が減少する（設計上の撮像範囲や照明範囲に開口部２０ａが入り込む）事がない。
【００５４】
第１の本体１０の開き動作が完了した状態が図４(ａ)及び(ｂ)である。
【００５５】
この時、駆動ギア３３のギア部３３ａと切換えギア３７のギア部３７ｂとは噛み合い位置には配設されているが、図４（ｃ）に示すように駆動ギア３３を同図中矢印Ｄ方向に回転させても次に噛み合う歯３３ｚがないので、切換えギア３７が回転する事はない。
【００５６】
さらには、ヒンジギア３５のギア部３５ｂと切換えギア３７のギア部３７ａとの噛み合いも同様で、ヒンジギア３５を図４（ｄ）に示すように矢印Ｄ方向に回転させても次に噛み合う歯３５ｚがないので、切換えギア３７が回転する事はない。
【００５７】
逆に、第１の本体１０の閉じ動作をした場合は、上述した各ギアの回転方向が逆になるので、ヒンジギア３５の回転によって切換えギア３７が図４（ｃ）に示したように、矢印Ｅ方向に回転する。よって、切換えギア３７のギア部３７ａと駆動ギア３３のギア部３３ａとが噛み合うので、駆動ギア３３は同図中矢印Ｄと逆の方向に回転する。その結果、撮像部材３０はその撮影窓３１や照明窓３２が第２の本体２０に設けられた開口部２０ａから退避して第２の本体２０の中に入り込んでいくので、第１の本体10の閉じ動作が完了した時には撮像部材３０は図１(ｂ)に示した状態に戻る。
【００５８】
次に、図４に示した状態から操作部４０を図５(ａ)中矢印Ｆ方向に回転させた時の撮像部材３０及び各ギアの動作説明を図５(ａ)〜図５(ｅ)を用いて行う。
【００５９】
図５(ａ)は図４(ｂ)と同じなので説明は省略する。この状態から同図中矢印Ｆ方向に操作部４０を回転させると、図５（ｂ）のような状態となる。
【００６０】
つまり、操作部４０を回転させる事によって、撮像部材３０と駆動ギア３３とが同方向（図５(ａ)中の矢印Ｆ方向）に回転する。すると、駆動ギア３３に設けられた切換えピン３３ｂが切換えギア３７に設けられた切換えカム３７ｃに飛び込んで当接状態となる。
【００６１】
さらに操作部４０を回転させると、操作部４０の回転によって駆動ギア３３が回転するが、駆動ギア３３の切換えピン３３ｂが切換えカム３７ｃに当接しているので、切換えピン３３ｂの回転に伴って切換えギア３７は切換えカム３７ｃに沿って同図中矢印Ｇ方向に移動する（図５（ｃ）参照の事）。つまり、動力変更手段３６が図５（ｃ）中、矢印Ｇ方向に移動する事になる。これにより、切換えギア３７のギア部３７ａは、ヒンジギア３５のギア部３５ｂとは噛み合わない状態となるので、ヒンジギア３５が回転する事はないから、操作部４０を回転させても、携帯機器１００の第１の本体１０がさらに開き方向に回転する事はない。
【００６２】
さらに、操作部４０を回転させると、撮像部材３０及び駆動ギア３３もさらに回転する。それに伴い、切換えギア３７の移動によって動力変更手段３６がさらに移動する事になるので、ヒンジギア３５のギア部３５ａと切換えギア３７のギア部３７ａとが、また、従動ギア３４と主動ギア３８とが噛み合うようになると同時に切換えピン３３ｂが切換えカム３７ｃから外れる（図５（ｄ）参照の事）。
【００６３】
この時、携帯機器１００の背面側を示したものが図６である。同図に示すように、撮像部材３０の撮影窓３１及び照明窓３２は第２の本体２０の開口部２０ａから露出しているので、携帯機器１００の操作者は、携帯機器１００の背面側の被写体に対して撮影と照明が可能となると共に、撮影している被写体像を表示部１４に表示させながら撮影する事が可能となった。
【００６４】
ここで、この図５(ｄ)の状態から操作部４０を矢印Ｆとは逆の方向に回転させた場合について説明すると、操作部４０の回転に伴って従動ギア３４も同方向に回転するので主動ギア３８もその噛み合いによって回転するとともに、撮像部材３０と駆動ギア３３も同一方向に回転しているので、駆動ギア３３の切換えピン３３ｂと切換えギア３７の切換えカム３７ｃとが再び当接するようになる。この状態で操作部４０の回転動作を続けると、切換えピン３３ｂと切換えカム３７ｃとによって動力変更手段３６が矢印Ｇとは反対方向に移動する。この時、図５(ｅ)に示したように、同図中矢印Ｈ方向に切換えギア３７が回転してもヒンジギア３５のギア部３５ａには次に噛み合う歯３５ｙがないので、不図示のヒンジ手段が回転する事はない。つまり、操作部４０を矢印Ｆとは逆方向に回転させても、第１の本体１０は回転しない事となる。このようにして、最終的には図５(ａ)に示した状態にまで戻る。
【００６５】
以上より、第１の本体１０を開き切った状態では、操作部４０を回転させる事によって第１の本体１０とは無関係に撮像部材３０を携帯機器１００の操作者側にも携帯機器１００の背面側にある被写体側にも向けさせる事が可能であると言える。
【００６６】
ところで、図５(ｄ)、つまり図６の状態から操作部４０を矢印Ｆと反対方向に回転させる事なく第１の本体１０を閉じ動作させた時の撮像部材３０と各ギアの動きについて、図７を用いて以下に説明する。
【００６７】
前述したように、図５(ｄ)の状態ではヒンジギア３５のギア部３５ａと切換えギア３７のギア部３７ａ、及び従動ギア３４と主動ギア３８とが噛み合っているので、第１の本体１０の閉じ動作（図７(ａ)中矢印Ｊ方向の回転動作）に連動して各々のギアが回転する。
【００６８】
まず、ヒンジギア３５が図７(ｂ)中矢印Ｋ方向に回転する事により切換えギア３７が同図中矢印Ｌ方向に回転するから、動力変更手段３６を介して一体化している主動ギア３８も同方向に回転する。これにより、従動ギア３４が同図中矢印Ｍ方向に回転するので、撮像部材３０も同方向（矢印Ｍ方向）に回転する。
【００６９】
この撮像部材３０の回転動作によって、駆動ギア３３も同図中矢印Ｋ方向に回転するから、駆動ギア３３の切換えピン３３ｂが再び切換えギア３７の切換えカム３７ｃに当接するようになる。
【００７０】
図７（ａ）及び（ｂ）の状態から更に第１の本体１０の閉じ動作を続けると、図７（ｃ）及び（ｄ）の状態となる。
【００７１】
つまり、第１の本体１０の閉じ動作に伴う上記各ギアの回転動作が行われる事により、撮像部材３０は図７（ｄ）に示すように、その撮影窓３１及び照明窓３２が携帯機器１００の操作者側に向いてくると共に、駆動ギア３３の切換えピン３３ｂと切換えギア３７の切換えカム３７ｃによって、動力変更手段３６、切換えギア３７及び主動ギア３８は図７（ｄ）中矢印Ｎ方向に移動する。
【００７２】
この移動に伴い、切換えギア３７のギア部３７ａはその噛み合いをヒンジギア３５の連結ギア部３５ｃを介してギア部３５ａからギア部３５ｂへと移行させる。また主動ギア３８と従動ギア３４の噛み合いが解消されると共に、駆動ギア３３のギア部３３ａとが噛み合う。
【００７３】
そして、第１の本体１０の閉じ動作が続行されて図３（ａ）に示したような状態にまで戻ると、切換えギア３７のギア部３７ａはヒンジギア３５のギア部３５ｂと、また、切換えギア３７のギア部３７ｂは駆動ギア３３のギア部３３ａとそれぞれ噛み合っているので、第１の本体１０の閉じ動作に連動して前記各ギアが回転する事によって、第１の本体１０及び撮像部材３０は図１（ａ）及び（ｂ）の状態に戻る。
【００７４】
よって、仮に携帯機器１００の操作者が携帯機器１００を図６に示した状態のままで第１の本体１０の閉じ動作を行ったとしても、その閉じ動作に連動して撮像部材３０の撮影窓３１及び照明窓３２が携帯機器１００の筐体内に隠れる位置まで回転するので、携帯機器１００が折り畳まれた状態では常に撮像部材３０の撮影窓３１及び照明窓３２の汚れや破損を防止する事が出来る。
【００７５】
以上説明した本発明の構成によれば、以下に示した効果が得られる。
（１）携帯機器が所定角度以上の展開状態の場合には撮像手段の撮影方向が任意の方向に設定可能であると共に、別操作をする事なく携帯機器が折り畳まれた状態では撮像手段の汚れや破損を防止する事が可能となった。
（２）携帯機器が所定角度以上の展開状態の場合には照明手段の照明方向が任意の方向に設定可能であると共に、別操作をする事なく携帯機器が折り畳まれた状態では照明手段の汚れや破損を防止する事が可能となった。
【００７６】
なお、上記実施例においては携帯電話を例に取り上げて説明したが、それに限定する事無く、例えば公知例である上述の特許文献４のようなノートパソコン等の携帯機器でも本実施例が有効であると言える。
【００７７】
また、本実施例においては撮像手段と照明手段が一体化されたユニットである撮像部材を例に取り上げて説明したが、これに限定するわけではなく、撮像手段もしくは照明手段の単一のユニットが携帯機器に設けられた場合でも、本実施例が有効である事は言うまでもない。
【実施例２】
【００７８】
続いて、本発明の第２の実施例の携帯機器を図８〜図１０に基づいて説明する。
【００７９】
図８は、本実施例の携帯機器２００が開いている時の全体斜視図及び部分拡大図である。なお、前述の実施例と同一のものについては同じ符号を与え、その説明を省略する。
【００８０】
図８において、第１の本体２１０は、前述の実施例１での第１の本体１０同様、携帯機器１００において、第２の本体２０に対してヒンジ部２１に設けられた不図示の公知のヒンジ手段によって開閉可能に軸支されている。また第１の本体２１０の先端部１１には通信用のアンテナ１２が伸縮可能に配設されている。
【００８１】
また、第１の本体２１０の、第２の本体２２０との対向面側には、スピーカ１３と時計や電話番号、受信した各種情報等を表示する表示部１４とが設けられている。
【００８２】
さらに、第１の本体２１０には切り欠き部２１０ａが設けられており、その切り欠き部２１０ａには撮像部材２３０が回動自在に軸支されている。
【００８３】
なお、この撮像部材２３０は前述の撮像部材３０と同等なので、その詳細説明を省略する。
【００８４】
図８（ｂ）に示しているように、撮像部材２３０と同軸に、駆動プーリ５１が配設されている。この駆動プーリ５１の撮像部材２３０との対向面の反対側の端面には、動力伝達用の第１のベルト６１が架かっている。
【００８５】
また、第１の本体２１０には上記第１のベルト６１が掛かっている伝達用の中間プーリ５２と携帯機器２００のヒンジ部２１に設けられた連動プーリ５３が配設されている。
【００８６】
なお、中間プーリ５２と連動プーリ５３との間には、動力伝達用の第２のベルト６２が掛かっている。
【００８７】
また、連動プーリ５３には、前述の実施例で説明した駆動ギア３３及び従動ギア３４が設けられている。
【００８８】
さらに、第２の本体２２０に対して、不図示のピン等によって前述の実施例で説明したヒンジギア３５、動力変更手段３６、切換えギア３７、主動ギア３８が回転可能に軸支されている。
【００８９】
ここで、前述の撮像部材３０を例えば１０度回転させた時の従動ギア３４の回転角と、本実施例での撮像部材２３０を１０度回転させた時の従動ギア３４の回転角とが等しくなるように、駆動プーリ５１、中間プーリ５２、連動プーリ５３、各々の直径を設定すれば、以下に説明するように、本実施例でも前述の実施例１と同様な効果が得られる。
【００９０】
つまり、携帯機器２００を開いた時には図８（ａ）に示したように、撮像部材２３０の撮影窓２３１及び照明窓２３２が被写体である操作者側に向いている。
【００９１】
また、携帯機器２００の背面側の被写体を撮影するために、図８（ａ）の状態から撮像部材２３０を図８（ａ）中矢印Ｘ方向に回転させると、駆動プーリ５１が回転する。これにより第１のベルト６１によって中間プーリ５２が回転し、さらには第２のベルト６２によって連動プーリ５３が回転する。連動プーリ５３が回転するので、駆動ギア３３が回転する。
【００９２】
前述の実施例で説明したように、駆動ギア３３が回転する事で切換えギア３７が移動するが、切換えギア３７のギア部３７ａとヒンジギア３５のギア部３５ｂとが噛み合っていないので、撮像部材２３０の回転動作に伴って携帯機器２００の第１の本体２１０がさらに開き方向に回転するような事はない。
【００９３】
また、撮像部材２３０を携帯機器２００の背面側の被写体を撮影するための回転動作を完了した状態（図９参照）は、前述の実施例１では図５（ｄ）で示した状態と同等である。
【００９４】
また図９の状態から、図８（ａ）に示す状態、つまり操作者側の方に向けるために図８（ａ）中矢印Ｘ方向とは逆の方向に回転させると、ヒンジギア３５を回転させる事なく、撮像部材２３０を携帯機器２００の操作者側の方向に戻す事が出来る。
【００９５】
さらには、図９の状態から、携帯機器２００を閉じるために第１の本体２１０を回転させた場合は、ヒンジギア３５が回転する事によって切換えギア３７が回転するので、これにより撮像部材２３０も図８（ａ）中矢印Ｘ方向とは逆の方向に回転するので、携帯機器２００が折り畳まれた状態（図１０参照）では、撮像部材２３０の撮影窓２３１や照明窓２３２が携帯機器２００の筐体内に隠れる位置まで回転するから、図１０に示す折り畳み状態では、常に撮像部材２３０の撮影窓２３１や照明窓２３２の汚れや破損を防止する事が出来る。
【００９６】
以上説明した本発明の構成によれば、以下に示した効果が得られる。
（１）携帯機器が所定角度以上の展開状態の場合には撮像手段の撮影方向が任意の方向に設定可能であると共に、別操作をする事なく携帯通信機器が折り畳まれた状態では撮像手段の汚れや破損を防止する事が可能となった。
（２）携帯機器が所定角度以上の展開状態の場合には照明手段の照明方向が任意の方向に設定可能であると共に、別操作をする事なく携帯通信機器が折り畳まれた状態では照明発光手段の汚れや破損を防止する事が可能となった。
【００９７】
なお、この実施例２においては携帯電話を例に取り上げて説明したが、それに限定する事無く、前述の実施例同様、ノートパソコン等の携帯機器でも本実施例が有効であると言える。
【００９８】
また、本実施例においては撮像手段と照明手段が一体化されたユニットである撮像部材を例に取り上げて説明したが、これに限定するわけではなく、撮像手段もしくは照明手段の単一のユニットが携帯機器に設けられた場合でも、本実施例が有効である事は言うまでもない。
【００９９】
さらには、前述の実施例１とこの実施例２より、携帯機器のどの位置に撮像部材が設けられていても、携帯機器を折り畳んだ状態では撮像部材の撮影窓と照明窓を携帯機器の筐体内に隠す事が出来るので、常に撮像部材の撮影窓や照明窓の汚れや破損を防止する事が出来ると言える。
【図面の簡単な説明】
【０１００】
【図１】本発明の実施例１における携帯機器が閉じている時の全体斜視図である。
【図２】本発明の実施例１における携帯機器が開いている時の全体斜視図である。
【図３】本発明の実施例１における携帯機器が開き動作中の時の全体斜視図及び主要部透過図である。
【図４】本発明の実施例１における携帯機器が開き動作を完了した時の全体斜視図及び主要部透過図である。
【図５】本発明の実施例１における携帯機器が開き動作を完了した状態で撮像手段を回転動作する場合の主要部透過図である。
【図６】本発明の実施例１における携帯機器が開き動作を完了した状態で撮像手段を回転動作させてその動作が完了した時の携帯機器の背面側斜視図である。
【図７】図６の状態から携帯機器を閉じる動作をした時の全体斜視図及び部分透視拡大図である。
【図８】本発明の実施例２における携帯機器が開いている時の全体斜視図及び部分拡大図である。
【図９】本発明の実施例２における携帯機器が開き動作を完了した状態で撮像手段を回転動作させてその動作が完了した時の携帯機器の背面側斜視図である。
【図１０】本発明の実施例２における携帯機器が閉じている時の全体斜視図である。
【符号の説明】
【０１０１】
１                  メインシャーシ
１０、２１０        第１の本体
２０、２２０        第２の本体
３０、２３０        撮像手段
３１、２３１        撮影窓
３２、２３２        照明窓
１００、２００      携帯機器  
【図１】
2005173415.tif 000003
【図２】
2005173415.tif 000004
【図３】
2005173415.tif 000005
【図４】
2005173415.tif 000006
【図５】
2005173415.tif 000007
【図６】
2005173415.tif 000008
【図７】
2005173415.tif 000009
【図８】
2005173415.tif 000010
【図９】
2005173415.tif 000011
【図１０】
2005173415.tif 000012